(57)【特許請求の範囲】
【請求項１】
次の（Ａ）（Ｂ）（Ｃ）（Ｄ）からなることを特徴とする回転レバー保持機構。
（Ａ）  本体ハウジングに設けた貫通円形孔内周面から内径側に円周リブ壁を突出し、該リブ壁はほぼ対向する２個の円弧短冊状の欠損部と、１個の矩形欠損部及びこれに隣接する張出弦部とを備えた本体ハウジングの孔
（Ｂ）  薄肉円筒からなり胴部外径が前記円周リブ壁に内嵌する可撓性ブッシュであって、前記円弧短冊状の欠損部を上下に通過する該欠損部と同形のフィンと、フィンの通過と位相の異なる位置で前記矩形欠損部に嵌合するロック突起とを胴部下端外周に備え、前記円形孔内周面に遊嵌する外径を持つフランジを胴部上端外周に備えたブッシュ
（Ｃ）  前記ブッシュの内径に嵌合する円柱を備えた回転レバー
（Ｄ）  前記回転レバー底面に取付けられる操作用プレート
【請求項２】
前記フランジには、前記フィンの直上部にフィンとほぼ同形の欠損部を設けると共に、前記ロック突起の上方に、胴部の半径方向の可撓性を付与する円弧長円状の開口を設けたことを特徴とする請求項１記載の回転レバー保持機構。
【発明の詳細な説明】
【０００１】
【発明の属する技術分野】
本発明は、例えばデジタルカメラの多数の機能を切替える回転レバーを保持する保持機構に関する。
【０００２】
【従来の技術】
デジタルカメラ等の操作用機構として電源のオンオフ、ビューファインダの操作、撮影位置の操作、セットアップ、手動撮影、自動撮影、画像確認、印画実行などの機能を切替えるために、回転レバー機構が用いられている。この回転レバーを保持する保持機構は従来、多数の構成部品から構成されており、部品点数が非常に多い。例えば特開２０００−３３１５６６号公報には、図６に示すように複数の摺動子７１、多数の回転操作体７２、複数の操作部７３等からなる複雑な構造を有する回転レバー保持機構７０が示されている。
【０００３】
【発明が解決しようとする課題】
本発明は少ない構成部品からなる簡単で組立の容易な回転レバー保持機構を提供することを目的とするものである。
【０００４】
【課題を解決するための手段】
本発明は、次の（Ａ）（Ｂ）（Ｃ）（Ｄ）からなることを特徴とする回転レバー保持機構である。
【０００５】
（Ａ）  本体ハウジングに設けた貫通円形孔内周面から内径側に円周リブ壁を突出し、該リブ壁はほぼ対向する２個の円弧短冊状の欠損部と、１個の矩形欠損部及びこれに隣接する張出弦部とを備えた本体ハウジングの孔
（Ｂ）  薄肉円筒からなり胴部外径が前記円周リブ壁に内嵌する可撓性ブッシュであって、前記円弧短冊状の欠損部を上下に通過する該欠損部と同形のフィンと、フィンの通過と位相の異なる位置で前記矩形欠損部に嵌合するロック突起とを胴部下端外周に備え、前記円形孔内周面に遊嵌する外径を持つフランジを胴部上端外周に備えたブッシュ
（Ｃ）  前記ブッシュの内径に嵌合する円柱を備えた回転レバー
（Ｄ）  前記回転レバー底面に取付けられる操作用プレート
なお、前記フランジには、前記フィンの直上部にフィンとほぼ同形の欠損部を設けると共に、前記ロック突起の上方に、胴部の半径方向の可撓性を付与する円弧長円状の開口を設けるとよい。フィンと同形の上部フランジに設けた欠損部は、ブッシュをハウジングの孔に装着するときフィンを目視することができるようにしたもので、装着の作業性を高める。また、ロック突起はブッシュの胴部下端外周から半径方向外側に突出した突起であって、上記（Ａ）の本体ハウジングの孔に設けた矩形欠損部に嵌入してブッシュをハウジングの孔内にしっかりと固定するものである。このロック突起は、フィンが本体ハウジングの短冊状の欠損部を通過する位置とは位相の異なる位置で矩形欠損部に嵌入する。つまりフィンを短冊状の欠損部を通って上から下に通過させた後、ブッシュを回動させるとロック突起が矩形欠損部に嵌入する。位相が異なるとは、上記（Ａ）の本体ハウジングの孔における円弧短冊状の欠損部と矩形欠損部との中心角が、上記（Ｂ）のブッシュにおけるフィンとロック突起との中心角とは異なっていることである。
【０００６】
本発明の構造では、上記（Ｂ）のブッシュを、フィンの位置を円弧短冊状の欠損部にあわせて（Ａ）の孔に上から挿入し、その後、このブッシュを僅か回動させてブッシュのロック突起を矩形欠損部に合わせると、ブッシュが（Ａ）のハウジングの孔の中に固定される。ブッシュのロック突起がハウジングの孔の矩形欠損部に合致するまでブッシュを回動させるときに、ロック突起は、ハウジングの孔の内周に沿って移動する。このときロック突起が設けられているブッシュの胴部部分はロック突起が突出しているので半径方向内側に変形する。ブッシュの上部フランジに設けた円弧長円状の欠損部は、胴部が半径方向に縮小する変形に対する剛性を小さくし、変形を容易にするものである。ブッシュがハウジング孔内に固定された後、（Ｃ）の回転レバーの円柱をブッシュの内径に挿入し、その円柱の底面に（Ｄ）のプレートを取付ければ、組立完了である。
【０００７】
【発明の実施の形態】
以下図面を参照して本発明の実施の形態を説明する。図５は本発明の回転レバー機構の組立断面図を示すもので、本体ハウジング１０の孔１１にブッシュ３０が嵌合され、このブッシュ３０の内径に回転レバー２０の円柱部２１が挿入され、その下面に操作用プレート５０が取り付けられている。
【０００８】
図１はこれを分解して示した本発明の実施例の回転レバー保持機構を示したもので、図１（ａ）は、本体ハウジング１０の孔１１の部分の平面図、図１（ｂ）は回転レバー２０の平面図、図１（ｃ）はブッシュ３０の平面図、図１（ｄ）は操作プレート５０の平面図である。図２はブッシュ３０の側面図である。図３は図２のＡ−Ａ矢視図で、ブッシュ３０の上面のみを示し、下面側の図示を省力した端面図である。図４は、図２のＢ−Ｂ矢視図でブッシュ３０の胴部の下端側の形状を示す図である。
【０００９】
図１（ａ）に示すように、本体ハウジング１０に設けた貫通円形孔１１は、内周面１２から内径側に円周リブ壁１３を突出しており、この円周リブ壁１３は、内径がほぼ円形の内周面１４を有する。この円周リブ壁１３にはほぼ対向する２個の円弧短冊状の欠損部１５、１６が設けられている。この欠損部１５，１６は、ほぼ対向する位置すなわち中心角で約１５０〜１８０度隔てた位置に設けられている。円弧短冊状の欠損部１５、１６は同一の形状でなくてもよい。またこの円弧短冊状の欠損部１５と中心角で約９０度隔てた位置に、１個の矩形欠損部１７が設けられている。この矩形欠損部に隣接する部分には、張出弦部１８が設けられている。
【００１０】
図１（ｂ）に示す回転レバー２０は、中央にシャッタボタン２３を備え、その周囲にリング状の回動部２２を備え、レバー操作部２４で回動させ、各種の操作モードに合わせるモードダイヤルを形成している。図５に示すように回動部２２の下側の円柱２１がブッシュ３０内を貫通し、その下端に図１（ｄ）に示す操作プレート５０を取付ける。操作プレート５０は、回転レバー位置決め用孔５１、５２，５３、５５と電源スイッチ係合用爪５４とを備え、各種機能に対応する多目的スイッチとして作用する。
【００１１】
図４に示すように、ブッシュ３０は、薄肉円筒からなる胴部３１の下端に外方に放射状に突出する２枚のフィン４１、４２を備え、これとは別にロック突起４３を突出している。２枚のフィン４１、４２は、中心角で１５０〜１８０度隔てた位置に設けられ、上記円弧短冊状の欠損部１５、１６と対応している。２枚のフィン４１、４２はこれらの欠損部１５、１６より僅かに小さいプロフィール寸法を有し、これらの欠損部１５、１６を上から下に通り抜ける。また、胴部３１の下端にロック突起４３が外周方向に突出して設けられている。このロック突起４３は、フィン４１と中心角４４だけ隔てて設けられている。この中心角４４は、図１（ａ）に示す短冊状欠損部１５と矩形状欠損部１７とのなす中心角１９の大きさより大きく形成してある。
【００１２】
図３に示すように、ブッシュ３０の胴部３１の上端部には、フランジ３５が設けられている。このフランジ３５は、外径が図１に示す本体ハウジングの孔１１の内径１２内に遊嵌し、ブッシュ３０の胴部３１の頂端外周に取り付けられている。このフランジ３５には、下端のフィン４１、４２の直上に欠損部３６、３７が設けられており、ブッシュ３０の取付け作業時に、フィン４１、４２が上から見えるようになっている。また、ブッシュ３０の胴部３１の下端部にロック突起４３を設けた側のフランジには、円弧長円状の大きな開口３８が設けられている。この開口３８は、ロック突起４３がハウジング孔の矩形状欠損部１７に嵌まる前に胴部３１が半径方向に縮小移動するのを容易にするために、フランジ３５を切り欠いて、胴部３１の剛性を小さくしたものである。また、フランジ３５の上面には突起３９が設けられている。この突起３９は回転レバー２０が特定の位置で係止するストッパである。
【００１３】
本発明の回転レバー保持機構の組立るにはブッシュ３０のフィン４１、４２を本体ハウジング１０の孔１１の矩形状欠損部１５、１６の位置に合わせて上から孔１１内に押し込み、フィン４１、４２を孔１１の下面側に位置させ、ブッシュ３０を円周方向に少し回動させると、フィン４１、４２は矩形状欠損部１５、１６から移動して孔１１の円周リブ壁１３の下面に当接し、ロック突起４３が矩形状欠損部１７中に嵌合し、孔１１内にブッシュ３０が緊密に固定される。
【００１４】
次いで回転レバー２０の円柱２１をブッシュ３０内に上から挿入し、その底面に操作用プレート５０を取付ける。
【００１５】
以上により、回転レバー２０を容易に正確に位置決めして組立てることができる。
【００１６】
【発明の効果】
本発明の回転レバー保持機構は以上のように構成されているので、少ない構成部品で、構造が簡単で組立の容易であり、寄与するところが大である。
【図面の簡単な説明】
【図１】実施例の回転レバー保持機構の分解図である。
【図２】実施例のブッシュの側面図である。
【図３】図２のＡ−Ａ矢視端面図である。
【図４】図２のＢ−Ｂ矢視図である。
【図５】実施例の回転レバー保持機構の組立断面図である。
【図６】従来技術の断面図である。
【符号の説明】
１０    本体ハウジング
１１    孔
１２    内周面
１３    円周リブ壁
１４    内周面
１５、１６    短冊状欠損部
１７    矩形状欠損部
１８    弦部
１９    中心角
２０    回転レバー
２１    円柱部
２２    回動部
２３    レリーズボタン
２４    レバー操作部
３０    ブッシュ
３１    胴部
３５    フランジ
３６、３７    欠損部
３８    開口
３９    突起
４１、４２    フィン
４３    ロック突起
４４    中心角
５０    操作用プレート
５１、５２、５３    回転レバー位置決め用孔
５４    電源スイッチ係合用爪
７０    回転レバー保持機構
７１    摺動子
７２    回転操作体
７３    操作部
【図１】
0003884308.tif 000002
【図２】
0003884308.tif 000003
【図３】
0003884308.tif 000004
【図４】
0003884308.tif 000005
【図５】
0003884308.tif 000006
【図６】
0003884308.tif 000007